(57)【要約】【課題】簡易な構成で、ディスクと光ピックアップレンズとの接触を防ぐと共に、コンパクト化可能なレンズ保護機構及びディスク再生装置を提供すること。【解決手段】ディスク１２に光を投受光させる光ピックアップレンズ１７６の保護を図るレンズ保護機構１１であり、クランパ３５でのディスク１２のクランプに対して反発力を与える付勢手段２７がターンテーブル２０に設けられ、駆動源１０２が作動して、クランパ３５をディスク１２に対して接離させるクランプ機構が設けられている。また、ディスク１２が再生状態／再生待機状態で他ソース／電源オフに切り替えられた場合に、クランプ３５をターンテーブル２０の上方へ持ち上げてクランプ状態を解除するように、駆動源１０２を作動させる駆動制御機構２１０が設けられている。【選択図】  図７
2004158139.tif 000002
【特許請求の範囲】
【請求項１】
ターンテーブル上に載置されるディスクに光を投受光させる光ピックアップレンズの保護を図るレンズ保護機構であって、
クランパを具備し、このクランパを上記ディスクに対して接離させるクランプ機構と、
上記ターンテーブルに設けられ、該ターンテーブルにおける上記クランパでの上記ディスクのクランプに対して反発する弾性力を与える付勢手段と、
を具備し、上記ディスクのクランプ状態を解除したときに、上記付勢手段が与える弾性力によって該ディスクを持ち上げることで、上記ターンテーブルから該ディスクを離間させると共に、その離間状態を維持させることを特徴とするレンズ保護機構。
【請求項２】
ターンテーブル上に載置されるディスクに光を投受光させる光ピックアップレンズの保護を図るレンズ保護機構であって、
駆動源およびクランパを具備し、この駆動源が作動することで、クランパをディスクに対して接離させるクランプ機構と、
上記ターンテーブルに設けられ、該ターンテーブルにおける上記クランパでの上記ディスクのクランプに対して反発する弾性力を与える付勢手段と、
上記ディスクの再生状態／再生待機状態で他ソース／電源オフに切り替えられた場合に、上記クランパを上記ターンテーブルの上方へ持ち上げて上記ディスクのクランプ状態を解除するように、上記駆動源を作動させる駆動制御機構と、
を具備し、上記ディスクのクランプ状態を解除したときに上記付勢手段が与える弾性力によって該ディスクを持ち上げることで、上記ターンテーブルから該ディスクを離間させると共に、その離間状態を維持させることを特徴とするレンズ保護機構。
【請求項３】
前記付勢手段は、前記ディスクの調芯を図る調芯手段に設けられていることを特徴とする請求項１または２記載のレンズ保護機構。
【請求項４】
前記調芯手段は、
前記ターンテーブルから突出していると共に、外周側にテーパ面を有していて、このテーパ面に前記ディスクの中心孔の縁部が当接することで、該ディスクの前記ターンテーブルに対する載置がガイドされるディスクガイド部と、
前記ディスクガイド部を少なくとも３箇所以上径方向に向かって切り欠いた切り欠き部のそれぞれに設けられ、上記ディスクガイド部の最外周部分よりも外径側に突出して設けられている前記付勢手段としての付勢片と、
前記ターンテーブルのうち上記付勢片の先端部分と対向する部位に設けられ、該付勢片の先端部分を逃がす逃がし孔と、
を具備することを特徴とする請求項３記載のレンズ保護機構。
【請求項５】
前記駆動制御機構は、前記ディスクのクランプ解除時に、前記ディスクが前記付勢手段によって持ち上げられた状態で、前記ディスクの上面に前記クランパが接触するように、前記駆動源の駆動制御を行うことを特徴とする請求項２から４のいずれか１項に記載のレンズ保護機構。
【請求項６】
前記駆動制御機構は、規定時間だけ前記駆動源を作動させて前記クランパを前記ターンテーブルから持ち上げた後に停止させるタイマー機構を具備していて、上記規定時間は前記付勢手段が前記ターンテーブルから前記ディスクを離間させると共に、前記ディスクの上面に前記クランパが接触した状態となる時間に設定されていることを特徴とする請求項２から５のいずれか１項に記載のレンズ保護機構。
【請求項７】
前記駆動制御機構は、規定位置で前記ディスクまたは前記クランプ機構を検出した後に前記駆動源を停止させるセンサを具備していて、上記規定位置は前記付勢手段が前記ターンテーブルから前記ディスクを離間させると共に、前記ディスクの上面に前記クランパが接触した状態となる位置に設定されていることを特徴とする請求項２から５のいずれか１項に記載のレンズ保護機構。
【請求項８】
請求項１から７のいずれか１項に記載のレンズ保護機構を具備することを特徴とするディスク再生装置。
【発明の詳細な説明】
【０００１】
【発明の属する技術分野】
本発明は、レンズ保護機構およびこのレンズ保護機構を用いたディスク再生装置に関する。
【０００２】
ディスク再生装置において使用される光学ピックアップのレンズは、電気制御によって、ディスクの再生中に該ディスクとの距離が一定に保たれている。かかるディスク再生装置のうち、車載用等のディスク再生装置の場合、ディスクを再生している状態において、例えば他ソース／電源オフ（チューナ等を使用した場合、または電源オフにした場合をいう。）に切り替えられると、光学ピックアップのレンズは通電しない状態となる。
【０００３】
このような非通電状態では、光ピックアップのレンズのディスクに対する距離の電気制御が為されずに、ディスクとの距離を一定に保てなくなる。そのため、光ピックアップのレンズは、自動車の走行時等に生ずる振動等の外乱により、上下に動く状態となる。特に、ディスクがターンテーブルに載置された状態では、レンズとディスクとの距離が近いため、ディスクにレンズが接触してしまうことがある。
【０００４】
このようなディスクとレンズとの接触の防止を図る構成の例としては、特許文献１（特開２００２−２５０９４号公報）記載のものがある。この構成では、衝突防止装置にレンズよりも先にディスクに接触する接触部分を設けることで、該レンズの保護を図っている。
【０００５】
また、接触させないための従来例としては、他ソースに切り替えられた場合でも、光ピックアップを通電状態とし、電気制御によってレンズの保護を図る構成もある。他の従来例としては、他ソースに切替えられた場合に、光ピックアップをディスクの外周よりも外に移動させて、該光ピックアップを待機させておく、というものがある。
【０００６】
【特許文献１】
特開２００２−２５０９４号公報（発明の実施の形態全体、図５、図８）
【０００７】
【発明が解決しようとする課題】
車載用のディスク再生装置においては、スペース効率を良好にするために薄型化が図られている。かかるディスク再生装置の薄型化を図る場合、光ピックアップのレンズとディスクとの距離が小さくなり、光ピックアップのレンズとディスクとの接触をきたしがちとなる。特に、近年開発が進められている青色レーザ等を利用したディスク再生装置では、ディスクとレンズの距離が極めて近く、レンズとディスクが接触してしまう可能性が高い。
【０００８】
しかしながら、上述した特許文献１記載の構成では、ディスクに対して接触させるための接触パッドを別途設ける必要がある。また、ディスクに対して接触パッドが接触する構成のため、ディスクに傷がつきやすいものとなる。
【０００９】
また、他のソースに切り替えられた場合に、光ピックアップを通電状態とし、電気制御によってレンズの保護を図る構成では、消費電力が大きくなってしまう。そのため、ディスク再生装置や車載バッテリの寿命が短くなるという問題がある。また、光ピックアップをディスクの外周よりも外側に移動させ、該光ピックアップを待機させておく構成の場合、ディスク再生装置が大型化し、該ディスク再生装置のコンパクト化が図れない、といった問題が生じる。
【００１０】
本発明は、上記の事情に基づきなされたもので、その目的とするところは、簡易な構成かつ低コストで、ディスクと光ピックアップのレンズとの接触を防ぐと共に、コンパクト化が可能なレンズ保護機構およびこのレンズ保護機構を用いたディスク再生装置を提供しよう、とするものである。
【００１１】
【課題を解決するための手段】
上述の目的を達成するため、本発明は、ターンテーブル上に載置されるディスクに光を投受光させる光ピックアップレンズの保護を図るレンズ保護機構であって、クランパを具備し、このクランパをディスクに対して接離させるクランプ機構と、ターンテーブルに設けられ、該ターンテーブルにおけるクランパでのディスクのクランプに対して反発する弾性力を与える付勢手段と、を具備し、ディスクのクランプ状態を解除したときに、付勢手段が与える弾性力によって該ディスクを持ち上げることで、ターンテーブルから該ディスクを離間させると共に、その離間状態を維持させることとしたものである。
【００１２】
また、他の発明は、ターンテーブル上に載置されるディスクに光を投受光させる光ピックアップレンズの保護を図るレンズ保護機構であって、駆動源およびクランパを具備し、この駆動源が作動することで、クランパをディスクに対して接離させるクランプ機構と、ターンテーブルに設けられ、該ターンテーブルにおけるクランパでのディスクのクランプに対して反発する弾性力を与える付勢手段と、ディスクの再生状態／再生待機状態で他ソース／電源オフに切り替えられた場合に、クランパをターンテーブルの上方へ持ち上げてディスクのクランプ状態を解除するように、駆動源を作動させる駆動制御機構と、を具備し、ディスクのクランプ状態を解除したときに付勢手段が与える弾性力によって該ディスクを持ち上げることで、ターンテーブルから該ディスクを離間させると共に、その離間状態を維持させることとしたものである。
【００１３】
さらに、他の発明は、上述の各発明に加えて更に、付勢手段は、ディスクの調芯を図る調芯手段に設けられていることとしたものである。
【００１４】
また、他の発明は、上述の発明に加えて更に、調芯手段は、ターンテーブルから突出していると共に、外周側にテーパ面を有していて、このテーパ面にディスクの中心孔の縁部が当接することで、該ディスクのターンテーブルに対する載置がガイドされるディスクガイド部と、ディスクガイド部を少なくとも３箇所以上径方向に向かって切り欠いた切り欠き部のそれぞれに設けられ、ディスクガイド部の最外周部分よりも外径側に突出して設けられている付勢手段としての付勢片と、ターンテーブルのうち上記付勢片の先端部分と対向する部位に設けられ、該付勢片の先端部分を逃がす逃がし孔と、を具備することとしたものである。
【００１５】
また、他の発明は、上述の各発明に加えて更に、駆動制御機構は、ディスクのクランプ解除時に、ディスクが前記付勢手段によって持ち上げられた状態で、ディスクの上面にクランパが接触するように、駆動源の駆動制御を行うものである。
【００１６】
さらに、他の発明は、上述の各発明に加えて更に、駆動制御機構は、規定時間だけ駆動源を作動させてクランパをターンテーブルから持ち上げた後に停止させるタイマー機構を具備していて、規定時間は付勢手段がターンテーブルからディスクを離間させると共に、ディスクの上面にクランパが接触した状態となる時間に設定されているものである。
【００１７】
また、他の発明は、上述の各発明に加えて更に、駆動制御機構は、規定位置でディスクまたはクランプ機構を検出した後に駆動源を停止させるセンサを具備していて、規定位置は付勢手段がターンテーブルからディスクを離間させると共に、ディスクの上面にクランパが接触した状態となる位置に設定されているものである。
【００１８】
さらに、他の発明は、上述のレンズ保護機構の各発明を、ディスク再生装置に適用したものである。
【００１９】
【発明の実施の形態】
以下、本発明の一実施の形態について、図１から図１６に基づいて説明する。図１は、本発明の一実施の形態に係るディスク再生装置１０およびこのディスク再生装置１０に用いられるレンズ保護機構１１の要部の概略構成を示す平面図である。なお、以下の実施の形態において、特に断りが無い限り、下方（下側）とは、アウターケース１４の底部側を指し、上方（上側）とは、アウターケース１４の底部から離間する側を指すものとする。また、先端側とは、ディスク差込口１３側を指し、後端側とはディスク１２が挿入される奥側を指すものとする。
【００２０】
ディスク再生装置１０は、ＣＤ（Ｃｏｍｐａｃｔ  Ｄｉｓｃ）等のディスク１２（図１、図２、図６、図７および図１３から図１６参照）を再生するものである。ディスク１２には、直径が８ｃｍの小径ディスク１２ａ（図１５、図１６参照）と、直径が１２ｃｍの大径ディスク１２ｂ（図１３、図１４参照）とがある。以下の説明では、小径ディスク１２ａと大径ディスク１２ｂとをまとめてディスク１２という場合がある。なお、ディスク１２（記録媒体）は、ＣＤ以外の、例えばＤＶＤ（Ｄｉｇｉｔａｌ  Ｖｅｒｓａｔｉｌｅ  Ｄｉｓｃ）等、他の円盤状体の記録媒体でも良い。
【００２１】
ディスク再生装置１０は、各種部品の取り付け、及び挿入されたディスク１２を覆うケース体としてのアウターケース１４を有している。アウターケース１４の内部には、フローティングシャーシ１５が設けられている。フローティングシャーシ１５は、アウターケース１４に対してディスク１２の挿入時に所定量だけ沈み込むように、該アウターケース１４に対してバネ１７およびダンパ１８を介して弾性支持されている（図１から図３参照）。
【００２２】
バネ１７は、一端がアウターケース１４に、他端がフローティングシャーシ１５に掛け止めされることで、フローティングシャーシ１５を浮き上がる方向に引っ張っている。また、ダンパ１８は、バネ１７によってフローティングシャーシ１５が浮き上がろうとする力に抗する抵抗を与えている。なお、ダンパ１８には、差込穴（不図示）が設けられていて、フローティングシャーシ１５側に設置されるピン状の支持軸１９が差し込まれる。
【００２３】
なお、フローティングシャーシ１５は、そのシャーシ本体１５ａ（図８（ｂ）参照）が、アウターケース１４を覆うように設けられている。このフローティングシャーシ１５は、図８（ａ），（ｂ）に示される、第１の駆動伝達経路１０１（図８〜図１１参照）を覆うように設けられている。
【００２４】
このフローティングシャーシ１５には、クランパアーム組立体（以下、クランパアーム３０と呼ぶ。）が一対の回動支点３１及び一対の回動軸３２（図１参照）を介して、フローティングシャーシ１５に対して回動自在に支持されている。クランパアーム３０には、図１に示すような板バネ３３が取り付けられていて、その取り付け側と反対側が突出ピン３４となっている。この突出ピン３４は、第１のスライダ６０に設けられる揺動溝７０内を摺動する部分である。
【００２５】
また、クランパアーム３０には、ディスク１２をターンテーブル２０（図４〜図７、図１４、図１６参照）に対して圧接させるクランパ３５が設けられている。このクランパ３５は、取付金具３６を介して回転自在に取り付けられている。そのため、ディスク１２を圧接した状態で、モータ２１（図６、図７、図１４および図１６参照）の駆動によりターンテーブル２０が回転駆動されると、ディスク１２及びこのディスク１２を圧接しているクランパ３５も回転駆動され、ディスク１２が安定して回転する。
【００２６】
なお、クランパアーム３０およびクランパ３５は、後述するモータ１０２によって回動方向への駆動がなされるが、かかるモータ１０２からクランパ３５までの駆動の伝達経路によって、クランプ機構が構成されている。
【００２７】
図４〜図７に示すように、ターンテーブル２０には、その径方向の中心に、モータ２１の回転軸を挿通させるための軸孔２１が形成されていて、この軸孔２１の周囲には円筒リブ２２が突出している。また、このターンテーブル２０には、その外周縁部側にディスク１２を載置するディスク載置部２３（図４参照）が設けられている。ディスク載置部２３は、ターンテーブル２０上面の底面２０ａよりも上方に突出している（図７（ｂ）参照）。それによって、良好なディスク１２の載置を可能としている。
【００２８】
また、上述の円筒リブ２２と径方向に所定だけ離間した部位には、ディスクガイド部２４が、ターンテーブル２０の底面２０ａから隆起している。このディスクガイド部２４は、ディスク１２の中心孔１２ａに入り込む部分であり、このディスクガイド部２４の外周側は、径方向の外方に向かうに従って底面２０ａに向かって低くなるテーパ面２５となっている。ディスク１２の中心とディスクガイド部２４とが一致しない形で、ディスク１２がクランプされた場合であっても、ディスク１２の中心孔１２ａの縁部１２ｂがこのテーパ面２５に接触することで、該ディスク１２が適切なクランプ位置へとガイドされる。
【００２９】
また、図４に示すように、ディスクガイド部２４には、その周方向に所定角度毎に切り欠かれた切り欠き部２６が設けられている。この切り欠き部２６には、付勢手段であると共に、調芯手段の一部を為す付勢片２７が設けられている。付勢片２７は、ディスク１２のクランプを行う前の状態においては、ディスクガイド部２４を形成する底面２０ａとの境界線よりも外径側に突出している。そのため、ディスク１２をターンテーブル２０にクランプすると、外径側に突出している付勢片２７が撓む。この付勢片２７は、ディスク１２の中心孔１２ａの縁部１２ｂが接触する部分となる。
【００３０】
ここで、ディスク１２をクランプしているときに、撓んでいる付勢片２７がディスク１２に及ぼす付勢力は、後述するクランパアーム３０が持ち上がる程度となっている。すなわち、ディスク１２のクランプ状態が解除された場合に、該ディスク１２をターンテーブル２０から持ち上げることが可能となっている。
【００３１】
これら切り欠き部２６と、付勢片２７とは、例えば略１２０度間隔で、ディスクガイド部２４の周方向に３つ配置されている。それによって、ディスク１２の中心孔１２ａの縁部１２ｂに対して、均等な付勢力を及ぼす構成となっている。しかしながら、付勢片２７は、周方向に３つ配置するものには限られず、複数、好ましくは３つ以上であれば、幾つ配置されていても良い。
【００３２】
また、ターンテーブル２０には、付勢片２７の先端側に対応する位置に、逃がし孔２８が形成されている。逃がし孔２８は、付勢片２７の先端側を下方側に逃がして、ターンテーブル２０の底面２０ａと付勢片２７の先端との干渉を防止するものである。
【００３３】
なお、本実施の形態では、切り欠き部２６と逃がし孔２８とは、一体となるように形成されている。また、ディスクガイド部２４と付勢片２７とは、ターンテーブル２０と共に合成樹脂の一体成型品から構成されている。また、上述のディスクガイド部２４、テーパ面２５および付勢片２７によって、調芯手段としての調芯機構が設けられている。
【００３４】
図１、図１３及び図１５に示すように、クランパアーム３０には、回動軸４１を中心として揺動可能にトリガアーム４０が取り付けられている。トリガアーム４０は、３つの突出端部を有していて、このうち第１の突出端部４２は、回動軸４１から見て第１のスライダ６０側に向かって突出している。また、第２の突出端部４３は、回動軸４１から見て第２のスライダ８０側に向かって突出している。さらに、第３の突出端部４４は、第２のスライダ８０に向かって突出するものの、第２の突出端部４３よりはディスク差込口１３側であり、かつより一層第２のスライダ８０側に向かって突出している。
【００３５】
ここで、クランパアーム３０には、第３の突出端部４４の回動を規制する回動規制凹部４５が形成されている。この回動規制凹部４５と後述する突起４６，４７は、８センチ又は１２センチのディスク１２が挿入された場合に、該ディスク１２の挿入を規制してディスク１２のチャッキング位置の位置決めを行うものである。なお、このような位置決めを行うために、第３の突出端部４４には、突起４６がアウターケース１４の底面に向かって突出している。
【００３６】
また、突起４６は、回動規制凹部４５で規制される機能のみならず、８センチの小径ディスク１２ａの外周縁部に係止する機能を有しているものである。それにより、小径ディスク１２ａの位置決めが良好に行われる。また、第２の突出端部４３にも、突起４７がアウターケース１４の底面に向かって突出して設けられている。この突起４７は、１２センチの大径ディスク１２ｂの外周縁部に係止され、それによって該大径ディスク１２ｂの位置決めを良好に行うことを可能としている。
【００３７】
なお、図１４及び図１６に示すように、小径ディスク１２ａに係止される突起４６は、大径ディスク１２ｂが挿入される際に、邪魔にならない高さに形成されている。
【００３８】
第１の突出端部４２には、凸部４８がアウターケース１４の底面に向かって突出形成されている。この凸部４８は、トリガスライダ５０を図１で下方に押して該トリガスライダ５０を下方側にスライドさせるものである。なお、図１４及び図１６に示すように、トリガスライダ５０のうち凸部４８に対応する部分には、係合部５１が形成されている。
【００３９】
上述のフローティングシャーシ１５には、案内機構としての第１のスライダ６０及び第２のスライダ８０が、ディスク１２の挿入方向に沿ってスライド移動自在となっている。これら第１のスライダ６０および第２のスライダ８０は、図１に示すように、それぞれアウターケース１４の右側側面および左側側面に近接して設けられている。また、第１のスライダ６０には、図９から図１１に示すように、アウターケース１４の底面と略並行を為す受け部６１が一体的に設けられている。受け部６１は、第１のスライダ６０の垂直部分の高さ位置の中途部分から第２のスライダ８０に向かって突出形成されている。
【００４０】
この受け部６１には、同一直線上に一対のガイド溝６２が切り欠かれている。ガイド溝６２には、トリガスライダ５０の一対で計４つの係止爪５２が挿入され、かつ掛け止めされる。それにより、トリガスライダ５０は、受け部６１の上面に載置されると共に、受け部６１によって、スライド自在に支持される。
【００４１】
また、トリガスライダ５０には、後述するキャリア凸部１４７やリブ部１４６に衝突するトリガ突起５３（図８〜図１２参照）が、アウターケース１４の底面側に向かうように設けられている。このトリガ突起５３は、トリガスライダ５０のうち、第２のスライダ８０側、かつディスク差込口１３側の部位に設けられている。しかも、図９から図１１に示すように、トリガ突起５３がスライドすることで描かれる該トリガ突起５３のキャリア１４０側の軌跡は、リブ部１４６やキャリア凸部１４７よりもキャリア１４０の中心部に近いものとなっている。
【００４２】
このため、トリガアーム４０の図１、図１３および図１５の各図で時計方向の回動により、凹部４８が係合部５１を押し込んで、図９に示す状態のトリガスライダ５０をディスク差込口１３側に向けてスライドさせる。それによって、トリガスライダ５０は、図９に示す状態から、図１０に示す状態に移行し、トリガ突起５３がキャリア凸部１４７に衝突してキャリア１４０を図１０の矢示Ｂ方向に回転させる状態となる。また、キャリア１４０が所定だけさらに回転した後は、トリガ突起５３の後端がリブ部１４６と衝突した状態（図１１参照）となり、以後この衝突状態が維持される。
【００４３】
また、トリガスライダ５０の係合部５１が、凸部４８に押されて第１のスライダ６０の受け部６１に対してスライドする場合に、係止爪５２がガイド溝６２の溝端部６２ａに衝突し、以後トリガスライダ５０の受け部６１に対するスライドが規制される。トリガスライダ５０がキャリア１４０の回動に伴って、さらにディスク差込口１３側に押されると、図１０から図１１に示すように、トリガスライダ５０を介して第１のスライダ６０が先端側にスライドするようになる。
【００４４】
なお、トリガスライダ５０と受け部６１との間には、バネ６３（図９〜図１１参照）が掛け渡されている。このバネ６３の一方側はトリガスライダ５０の爪部５０ａに、他方側は受け部６１の爪部６１ａに掛け止めされる。このバネ６３によって、トリガスライダ５０には、第１のスライダ６０からアウターケース１４の奥側（後端側）に向かう付勢力、および第１のスライダ６０には、トリガスライダ５０からディスク差込口１３側（先端側）に向かう付勢力が与えられる。
【００４５】
第１のスライダ６０には、アウターケース１４から突出形成された側面絞り部６４ａ，６４ｂ（図１参照）に存する突出部６６ａ，６６ｂがスライド自在となる、スライド溝６５ａ，６５ｂが設けられている。スライド溝６５ａ，６５ｂは、図１および図２に示すように、その長手方向がアウターケース１４（フローティングシャーシ１５）の底面と平行を為すように形成されている。
【００４６】
また、スライド溝６５ａ，６５ｂの一端側（後端側）は、夫々開放して設けられていて、このスライド溝６５ａ，６５ｂへの突出部６６ａ，６６ｂの入り込みおよび抜けが自在となっている。すなわち、側面絞り部６４ａ，６４ｂには、その先端側にアウターケース１４内方の第１のスライダ６０側に向かってピン状に突出したピン突出部６６ａ，６６ｂが設けられ、このピン突出部６６ａ，６６ｂが、スライド溝６５ａ，６５ｂに挿通されている。
【００４７】
なお、スライド溝６５ａ，６５ｂは、側面絞り部６４ａ，６４ｂの設けられている位置に対応して、第１のスライダ６０の側面に２つ設けられている。そのうち１つであるスライド溝６５ａは、第１のスライダ６０の長手方向中途部に設けられていて、図２において上方側（フローティングシャーシ１５の底面から離れた側）に位置している。また、他の１つであるスライド溝６５ｂは、第１のスライダ６０の後端側に設けられていて、かつ図２において下方側に位置している。
【００４８】
また、図２に示すように、第１のスライダ６０のうち、スライド溝６５ａ，６５ｂよりもディスク差込口１３側には、アームガイド溝６７及び逃がし溝６８が設けられている。このうち、アームガイド溝６７は、後述するロックアーム１１２の傾倒ガイド軸１１５が挿入される部分である。アームガイド溝６７は、スライド溝６５ａより下方側に位置していて、起こし部６７ａと寝かせ部６７ｂとから構成されている。
【００４９】
このアームガイド溝６７のうち、起こし部６７ａは、後述するロックアーム１１２を起こした状態にして、第２のロードギヤ１１１とローラギヤ９７との噛み合いを切り離し、駆動力がローラシャフト９４側に伝わらないようにする部分である。また、寝かせ部６７ｂは、起こし部６７ａよりもディスク差込口１３側に位置していて、この部分に傾倒ガイド軸１１５が位置すると、ロックアーム１１２が寝かされて（傾いて）、第２のロードギヤ１１１とローラギヤ９７とが噛み合い、駆動力の伝達が行えるようにする部分である。なお、アームガイド溝６７は、起こし部６７ａの方が、寝かせ部６７ｂよりも長く設けられている。
【００５０】
また、このアームガイド溝６７の下方に、逃がし溝６８が位置している。逃がし溝６８は、ロックアーム１１２を回転自在とする回転軸１１３が挿入される部分である。なお、この逃がし溝６８は、ディスク１２の挿入方向に沿う方向に、直線状に形成されていて、しかもその両端がアームガイド溝６７の各両端よりも、それぞれアウターケース１４の奥側に位置している。
【００５１】
また、第１のスライダ６０のうち、アームガイド溝６７及び逃がし溝６８よりもディスク差込口１３側には、レバーガイド溝６９（図２参照）が設けられている。レバーガイド溝６９には、ローラレバー９０のバネ係止ピン７１ａが挿入される。このバネ係止ピン７１ａは、図２に示すように、第１のスライダ６０のスライドに伴って、レバーガイド溝６９内を移動する。それにより、ローラレバー９０が回動される。なお、バネ係止ピン７１ａには、バネ７２の一端が掛け止めされ、このバネ７２の他端側は、フローティングシャーシ１５のディスク差込口１３側かつ上方側の側面に存するバネ受け部７１ｂに掛け止めされる。
【００５２】
ここで、レバーガイド溝６９は、ディスク差込口１３側である一端側が、該第１のスライダ６０のうち高さ方向（フローティングシャーシ１５の法線方向）の略中途部に位置すると共に、所定長だけフローティングシャーシ１５の底面と略並行に設けられている。それにより、ディスク１２を挿入する前のバネ係止ピン７１ａの初期状態を維持可能としている。
【００５３】
また、レバーガイド溝６９は、その一端側（先端側）からアウターケース１４の奥側（後端側）に向かうと、該レバーガイド溝６９は、緩やかにフローティングシャーシ１５の底面に向かって、斜め方向に進行していく。そして、所定長だけ斜め方向に延伸してフローティングシャーシ１５の底面に近接した後に、レバーガイド溝６９は、フローティングシャーシ１５の底面と略並行となる直線状部分を有する構成となる。それによって、ディスク１２が挿入された後の、ローラレバー９０の閉じ状態（ローラ９５がディスク１２と非接触な状態）を維持可能としている。
【００５４】
さらに、第１のスライダ６０のうち、ディスク差込口１３から離れた位置（アウターケース１４の奥側）には、揺動溝７０が設けられている。この揺動溝７０は、その一端側（先端側）が第１のスライダ６０の上方側に位置している。また、揺動溝７０は、先端側から後端側に向かうにつれて、少しだけ上方に向かった後に、下方に向かう曲線状に形成されている。そして、この揺動溝７０は、下方の所定位置に届くと、その位置から後端までは、フローティングシャーシ１５の底面と略平行を為している。この揺動溝７０に板バネ３３の突出ピン３４が位置することで、第１のスライダ６０の移動に伴って、板バネ３３が取り付けられたクランパアーム３０が法線方向に揺動することを可能としている。
【００５５】
また、図１および図３に示すように、アウターケース１４の内部において、第１のスライダ６０と幅方向において対向する側には、第２のスライダ８０が設けられている。第２のスライダ８０も、フローティングシャーシ１５に移動自在に設けられていて、その移動は第１のスライダ６０に追従するものである。そのため、第２のスライダ８０、およびこの第２のスライダ８０と対向するアウターケース１４の内壁面は、上述の第１のスライダ６０側に対応した略同様の構成を有している。
【００５６】
すなわち、アウターケース１４には、側面絞り部６４ａ，６４ｂに対応して、幅方向で対向する部位（実際は僅かにずれて対向している部位）に側面絞り部８１ａ，８１ｂが形成されている。また、第２のスライダ８０は、第１のスライダ６０におけるスライド溝６５ａ，６５ｂと同様なスライド溝８２ａ，８２ｂを有している。さらに、側面絞り部８１ａ，８１ｂには、第１のスライダ６０におけるピン突出部６６ａ，６６ｂと同様なピン突出部８３ａ，８３ｂが設けられている。なお、スライド溝８２ｂは、上述のスライド溝６５ｂとは異なり、第２のスライダ８０のうち上方側に設けられている。また、側面絞り部８１ｂも、スライド溝８２ｂに対応して、上方側に設けられている。
【００５７】
また、上述のレバーガイド溝６９に対応して、第２のスライダ８０にも、レバーガイド溝８４が設けられている。このレバーガイド溝８４にも、バネ係止ピン８５が挿入されている。また、第２のスライダ８０のディスク差込口１３側の所定位置には、バネ係止部８６が設けられている。バネ係止部８６には反転バネ８７の一端が掛け止めされ、また他端はバネ係止ピン８５に掛け止めされる。この反転バネ８７が反転することにより、バネ係止ピン８５は、レバーガイド溝８４の両端側に向かう付勢力が与えられる。
【００５８】
ここで、図１〜図３、および図８に示すように、フローティングシャーシ１５には、支点となる回動軸９１を介して、ローラレバー９０が回動自在に取り付けられている。このローラレバー９０には、ディスク差込口１３側に向かい突出した防御ピン９２が、ディスク差込口１３のフローティングシャーシ１５の底面から離れる上方に向かって突出形成されている。この防御ピン９２により、既にディスク１２が挿入されている場合において、再度のディスク１２の挿入が防止される。
【００５９】
また、図１〜図３、および図８に示すように、ローラレバー９０には、その側方側（ローラシャフト９４の両端側）に側方支持部材９３が一対設けられている。この側方支持部材９３により、ローラシャフト９４は回転自在に支持されている。ここで、ローラシャフト９４は、ローラレバー９０のうち、後端側の部位に取り付けられている。それにより、回動軸９１を挟んで、ディスク差込口１３側（先端側）には防御ピン９２が設けられていると共に、逆のアウターケース１４の奥側（後端側）にはローラシャフト９４が設けられる構成となっている。
【００６０】
図１及び図８に示すように、ローラシャフト９４には、ローラカバー９５（以下、ローラ９５とする。）がその外周を覆うように取り付けられている。ローラ９５は、例えばゴムや樹脂等のように、ディスク１２の裏面に接触した場合に摩擦力を良好に与えると共に、該ディスク１２の裏面に損傷を生じさせない柔らかめの材質から構成されている。また、これらローラシャフト９４とローラ９５とで、搬送ローラ９６を構成している。
【００６１】
図１、および図８に示すように、ローラシャフト９４の第１のスライダ６０側には、ローラギヤ９７がローラシャフト９４の回転と一体的に回転するように取り付けられている。このローラギヤ９７は、側方支持部材９３と第１のスライダ６０の間の位置に設けられている。そして、このローラギヤ９７が、後述するロックアーム１１２の第２のロードギヤ１１１と噛み合う場合には、搬送ローラ９６に駆動力が伝達される構成である。
【００６２】
以下、搬送ローラ９６を回転駆動させるための、ローラ回転機構１００の構成について述べる。なお、後述するローラ回転機構１００と、搬送ローラ９６、第１のスライダ６０、第２のスライダ８０、トリガスライダ５０、および後述するディスクガイド１６によって、搬送機構が構成されている。
【００６３】
図８に示すように、フローティングシャーシ１５のディスク差込口１３とは反対側のアウターケース１４の奥側（後端側）には、駆動源としてのモータ１０２が取り付けられている。
【００６４】
図８から図１１に示すように、モータ１０２の駆動力は、第１のウオーム１０３、第１のウオームホイール１０４、第１のウオームホイール１０４と同軸上に固定的に設けられている減速ギヤ１０５、サンギヤ１２０（外周ギヤ部１２１）、第１のギヤ輪列１０６を経て、ローラギヤ９７に伝達可能となっている。なお、第１のギヤ輪列１０６には、ロックアーム１１２に軸支されている第１のロードギヤ１１０、第２のロードギヤ１１１が含まれている。
【００６５】
また、第２のロードギヤ１１１は、ローラギヤ９７と噛合／離間可能に設けられている。それにより、モータ１０２の駆動力は、第２のロードギヤ１１１がローラギヤ９７と噛み合っている場合には、順次これらのギヤを介して、搬送ローラ９６に伝達される。なお、第１のウオーム１０３、第１のウオームホイール１０４、減速ギヤ１０５、サンギヤ１２０（外周ギヤ部１２１）、第１のギヤ輪列１０６、ローラギヤ９７により、第１の駆動力伝達経路１０１が形成される。
【００６６】
また、第１のロードギヤ１１０を軸支している回転軸１１３は、フローティングシャーシ１５の側面部分に回転自在に軸支されている。回転軸１１３は、ロックアーム１１２を回動自在に軸支していて、さらにロックアーム１１２は、上述の第１のロードギヤ１１０と第２のロードギヤ１１１とを回転自在に支持している。なお、ロックアーム１１２には、回転軸１１３を挿通させるための孔部（不図示）が形成されている。また、回転軸１１３の先端部分は、逃がし溝６８に挿入されて、第１のスライダ６０のスライドを妨げない構成となっている。また、第２のロードギヤ１１１は、ロックアーム１１２と一体的に設けられた回転軸１１４に対して、回転自在に取り付けられている。
【００６７】
また、ロックアーム１１２のうち、回転軸１１３，１１４の間の部位には、傾倒ガイド軸１１５が設けられている。傾倒ガイド軸１１５は、図８（ａ）に示すように、ロックアーム１１２から第１のスライダ６０に向かう（アウターケース１４の外側に向かう）ように設けられている。
【００６８】
この傾倒ガイド軸１１５は、上述のアームガイド溝６７に挿入される。この傾倒ガイド軸１１５が、アームガイド溝６７の起こし部６７ａに位置するか、寝かせ部６７ｂに位置するかで、該傾倒ガイド軸１１５の高さ位置が変化する。そのため、ロックアーム１１２が傾倒したり、起き上がったりし、それによって第２のロードギヤ１１１がローラギヤ９７に接離して、駆動力の伝達及び非伝達が切り替えられる構成となる。
【００６９】
また、図８から図１１に示すように、ローラ９５への駆動力の伝達と同様に、モータ１０２からの駆動力は、第１のウオーム１０３、第１のウオームホイール１０４、減速ギヤ１０５、サンギヤ１２０、キャリア１４０、第２のギヤ輪列１６１、ラック１７０を経て、光ピックアップ支持体１７５に伝達される。
【００７０】
なお、ローラギヤ９７、第１のスライダ６０（アームガイド溝６７および逃がし溝６８）、ロックアーム１１２に取り付けられている第１のロードギヤ１１０、第２のロードギヤ１１１、回転軸１１３、および傾倒ガイド軸１１５によって、ローラ９５側の駆動伝達切り替え機構が構成されている。
【００７１】
ここで、サンギヤ１２０は、図８（ｂ）及び図１２に示すように、該サンギヤ１２０の円盤平面の中央部に円筒状に突出した周壁部１２２を有していて、さらにこの周壁部１２２の中央部に軸受孔１２３を有している。軸受孔１２３には、フローティングシャーシ１５から突出形成されている回転軸１３０が挿通される。それにより、回転軸１３０によってサンギヤ１２０が回転自在に支持され、周壁部１２２でのガイドにより安定的に回転が行えるものとなる。
【００７２】
また、周壁部１２２の突出端側（フローティングシャーシ１５側）には、サンギヤ部１２４が形成されている。サンギヤ部１２４は、後述するキャリア１４０に取り付けられている遊星ギヤ１５０と噛み合って遊星ギヤ機構を構成する。そして、このサンギヤ部１２４は、該遊星ギヤ１５０が取り付けられているキャリア１４０を、該サンギヤ部１２４と同一の中心軸回りに回転駆動させる。
【００７３】
図８（ｂ）及び図１２に示すように、サンギヤ１２０のフローティングシャーシ１５側には、回転部材としてのキャリア１４０が取り付けられている。キャリア１４０は、サンギヤ１２０の周壁部１２２により軸支されることで、サンギヤ１２０とは独立した回転を可能としている。また、キャリア１４０の円盤平面上の径方向の中途部には、回転軸１４１が突出形成されている。回転軸１４１には、遊星ギヤ１５０が回転自在に軸支され、それによって遊星ギヤ１５０がサンギヤ部１２４と良好に噛み合うことを可能としている。
【００７４】
キャリア１４０の外周側は、図８から図１２に示すように、後述する第１のギヤ輪列１６１のピックギヤ１６２と噛み合う、回転伝達部としての弧状ギヤ部１４２となっている。弧状ギヤ部１４２は、キャリア１４０の全周に亘り設けられているものではなく、周方向に所定の角度（この実施の形態では、略１２０度）設けられている。なお、これらの図においては、弧状ギヤ部１４２が設けられる角度範囲内に、回転軸１４１が存する構成である。また、キャリア１４０に設けられる弧状ギヤ部１４２、及びピックギヤ１６２とによって、駆動伝達切替え機構１４５が構成されている。
【００７５】
また、キャリア１４０の弧状ギヤ部１４２が存している以外の部分は、該弧状ギヤ部１４２よりも外径が小さい円形状の小径部１４３となっている。そして、この小径部１４３からは、弧状ギヤ部１４２に向かって撓み溝１４４が切り欠かれている。
【００７６】
また、キャリア１４０のうち、弧状ギヤ部１４２が設けられている部分と回転中心を挟んで略対称な位置には、外観が突条かつ弧状を呈するリブ部１４６が設けられている。リブ部１４６は、後述するロックアーム１９０のリブ係合部１９３及びトリガスライダ５０のトリガ突起５３がその外周面に係合するものである。また、リブ部１４６には、トリガスライダ５０のトリガ突起５３がその先端部分に係合する。このリブ部１４６は、キャリア１４０の円盤平面から、フローティングシャーシ１５側に向かって突出するように設けられている（図１２参照）。
【００７７】
このリブ部１４６は、弧状ギヤ部１４２の外径よりは小径であり、さらに弧状ギヤ部１４２と同程度の角度範囲に亘って設けられている。また、リブ部１４６は、キャリア１４０の円盤平面から、フローティングシャーシ１５側に向かって突出するように設けられている（図８（ｂ）参照）。
【００７８】
なお、後述するリブ係合部１９３がリブ部１４６の存しない小径部１４３に位置した場合、上述の小径部１４３とは係合せずに、該小径部１４３と高さ位置が異なる、後述する固定ギヤ１３１の外周面１３１ａに当接するように設けられている。
【００７９】
キャリア１４０には、リブ部１４６と同一径の位置であって、該リブ部１４６と所定間隔だけ離れた部位にキャリア凸部１４７が形成されている。キャリア凸部１４７は、トリガ突起５３と衝突する部分である。すなわち、トリガスライダ５０がスライドして、キャリア凸部１４７にトリガ突起５３が衝突することにより、キャリア１４０が回転し、キャリア１４０に取り付けられている遊星ギヤ１５０が、後述する固定ギヤ１３１と噛み合う状態となる。
【００８０】
なお、キャリア１４０には、このキャリア１４０の径方向外方に向かって、突出部１４８が突出形成されている。この突出部１４８は、フローティングシャーシ１５から突出しているピン１４９（図９参照）に係合する。この係合により、キャリア１４０の反時計回りの回転（矢示Ｂとは逆の方向の回転）が停止され、この位置がディスク１２の排出後、次のディスク１２の搬入に対しての初期位置となる。
【００８１】
フローティングシャーシ１５には、上述のサンギヤ１２０の軸受孔１２３に差し込まれて該サンギヤ１２０を軸支する回転軸１３０が、アウターケース１４の底面に向かって突出形成されている（図８（ｂ）参照）。また、フローティングシャーシ１５には、固定ギヤ１３１が、同じくアウターケース１４の底面に向かって突出形成されている。なお、固定ギヤ１３１の各歯は、回転軸１３０に向かう内歯状に構成されている。固定ギヤ１３１は、遊星ギヤ１５０の外周側と噛み合うものであり、上述のリブ部１４６よりはやや角度範囲が大きく（略１８０〜２１０度）なるように設けられている。
【００８２】
ここで、図８から図１１に示すように、遊星ギヤ１５０のうちキャリア１４０の回転中心側は、サンギヤ部１２４と噛み合っている。このため、キャリア１４０がトリガスライダ５０のスライドに伴って押されて回転すると、固定ギヤ１３１と遊星ギヤ１５０とが噛み合い、サンギヤ１２０の回転駆動が遊星ギヤ１５０に伝達され、キャリア１４０が回動可能となる。なお、噛み合い始めの状態は、図１０に示されるものである。
【００８３】
また、図１１に示すように、固定ギヤ１３１と噛み合った遊星ギヤ１５０が所定角度だけ進行して初めて、弧状ギヤ部１４２と、ピックギヤ１６２とが噛み合う状態となる。すなわち、遊星ギヤ１５０と固定ギヤ１３１とが噛み合った当初は、弧状ギヤ部１４２とピックギヤ１６２とは噛み合っていないが、遊星ギヤ１５０が固定ギヤ１３１にガイドされて所定角度だけ回動して初めて、該弧状ギヤ部１４２とピックギヤ１６２とが噛み合う状態となる。
【００８４】
フローティングシャーシ１５には、第２のギヤ輪列１６０が設けられている。この第２のギヤ輪列１６０は、サンギヤ１２０の回転駆動を、ラック１７０側に伝達させるためのものである。なお、図９から図１１には、第２のギヤ輪列１６０のうち、弧状ギヤ部１４２と噛み合うピックアップギヤ１６１のみが図示されている。
【００８５】
かかる第２のギヤ輪列１６０により、ラックギヤ部１７１を介して駆動力が伝達されるラック１７０は、主軸１７２に沿ってスライドがガイドされる。この主軸１７２は、ラック１７０と一体的に設けられている軸受部１７３の軸受孔１７４に貫挿していて、該軸受部１７３が主軸１７２に対してスライド自在となっている。また、軸受部１７３は、光ピックアップ１７５と一体的に設けられている。光ピックアップ１７５は、光ピックアップレンズ１７６を保持している。光ピックアップ１７５は、一端側が主軸１７２にガイドされるとともに、他端側が不図示の副軸にガイドされている。
【００８６】
また、光ピックアップ１７５のうち、軸受部１７３の付け根の部分は、ラック１７０が取付固定されるラック取付部１７７となっている。ラック取付部１７７には、ラック１７０の長手方向が主軸１７２と略並行をなすようにラック１７０が取り付けられている。また、ラック１７０のうち、ラック取付部１７７と近接する部分であって、ラックギヤ部１７１が形成されている部分とは反対側の側面には、バネ係止部１７８が設けられている。このバネ係止部１７８にバネ１８０の一端側が係止され、またバネ１８０の他端側はフローティングシャーシ１５の不図示のバネ受け部に係止される。
【００８７】
図８から図１１に示すように、ロックアーム１９０は、フローティングシャーシ１５に対して、他端側の回動軸１９２を中心として回動自在に取り付けられている。このロックアーム１９０は、不図示のバネ等の付勢部材によって、時計回り方向の付勢力が与えられるように構成されている。
【００８８】
ロックアーム１９０の一端側には、リブ係合部１９３が形成されている。リブ係合部１９３は、ロックアーム１９０の一端側が、キャリア１４０に向かって突出している。リブ係合部１９３は、リブ部１４６への係合を良好にするために、係合部位の平面形状が曲線を描くように形成されている。また、ロックアーム１９０の一端側では、リブ係合部１９３のキャリア１４０へ向かう方向とは逆方向に向かい、ラック規制部１９４が突出形成されている。ラック規制部１９４は、ロックアーム１９０の回動によって、ラック１７０に形成されたロック凹部１７９に嵌め込まれるものである。
【００８９】
なお、このリブ係合部１９３を有するロックアーム１９０、及びリブ部１４６とによって、カム機構２００が構成されている。
【００９０】
また、図１４および図１６に示すように、フローティングシャーシ１５には、ディスク差込口１３側にディスクガイド１６が設けられている。チャッキング前には、ディスクガイド１６と搬送ローラ９６とによって、ディスク１２は挟み込まれる。この挟み込み状態で搬送ローラ９６が駆動することにより、該ディスク１２が搬送可能となる。この場合、搬送ローラ９６は、ローラレバー９０に取り付けられているので、このローラレバー９０が回動することにより、ディスク１２の厚みに対応して該ディスク１２をディスクガイド１６側へ押圧し、該ディスク１２の搬送が可能となる。
【００９１】
なお、ディスクガイド１６のフローティングシャーシ１５に対する取付位置は、該ディスク１２を良好に搬送できる位置であれば、ディスク１２の上面側においてどのような位置・配置で取り付けられていても構わない。通常は、第１のスライダ６０又は第２のスライダ８０の少なくとも一方に近接した部位に、ディスクガイド１６が取り付けられている。
【００９２】
また、図９から図１１に示すように、フローティングシャーシ１５には、内周検出スイッチ１３３が取り付けられている。この内周検出スイッチ１３３は、光ピックアップ１７６の位置がディスク１２の情報記録場所の最も内周となったことを検出するものである。内周検出スイッチ１３３をラック１７０に設けられた凸部１７０ａが押した状態（オン状態）のときに、光ピックアップ１７６が内周位置にいることを検知する。そして、内周検出スイッチ１３３がオフされることで、ディスクローディングが終わり、演奏開始へ移行することを検知する。
【００９３】
また、ディスク再生装置１０には、その内部に駆動制御機構２１０（図８（ａ）参照）が設けられている。駆動制御機構２１０は、モータ１０２の駆動を制御するものであり、このモータ１０２に対して電気的に接続されている。かかる制御部２１０での制御により、モータ１０２の作動が適切に制御され、後述するように他ソース／電源オフに切り替えた場合に、ディスク１２のチャッキングを解除して、クランパアーム３０を所定だけ回動させることが可能となる。
【００９４】
なお、駆動制御機構２１０の構成としては、ディスク１２がターンテーブル５２に載置された状態、またはディスク１２が再生されない休止状態（再生状態／再生待機状態）において、他ソース／電源オフ（チューナ等を使用した場合、または電源オフにした場合をいう。）に切り替えられた場合に、モータ１０２の駆動を適切に制御作動させるものであれば良い。その例としては、規定された時間だけモータ１０２にイジェクト方向の電圧をかけて、該モータ１０２を駆動させるタイマー機構方式がある。また、他の例としては、クランパアーム３０の回動に対応したスイッチ方式のセンサを用いて、モータ１０２にかけられたイジェクト方向の電圧の負荷状態を停止させるセンサ機構方式がある。
【００９５】
また、上述のタイマー機構方式や、センサ機構方式を実現するために、スイッチ機構や、かかる動作を行うプログラムが記憶されたマイコン等、種々のものを用いることが可能である。また、タイマー機能と併せて、モータ１０２にかかる負荷の検知を行っても良く、一定以上の負荷がモータ１０２に掛かった（若しくはなくなった）場合に、該モータ１０２の作動を停止させるようにしても良い。
【００９６】
以上のような構成を有するディスク再生装置１０およびレンズ保護機構１１の作用について、以下に説明する。
【００９７】
まず、ユーザがディスク差込口１３にディスク１２を差し込む。すると、このディスク１２の差し込みが、不図示のディスク差込検知機構によって検知され、モータ１０２の駆動が開始される。ディスク１２の差し込み当初においては、第１のスライダ６０も、図２（ａ）に示すように、ディスク差込口１３とは反対側（後端側）に存していて、第２のロードギヤ１１１と、ローラギヤ９７とが噛み合っている状態となっている。
【００９８】
このため、ディスク１２を挿入すると、モータ１０２の駆動によって、順次第１のウオーム１０３からローラギヤ９７までが回転駆動され、搬送ローラ９６が回転駆動される。そして、搬送ローラ９６の駆動によって、ディスク１２がディスク再生装置１０の内部に送り込まれる。このモータ１０２の駆動によって、サンギヤ１２０の外周ギヤ部１２１は、図８で矢示Ａ方向に回転する。この外周ギヤ部１２１の矢示Ａ方向の回転によって、サンギヤ部１２４も同様に矢示Ａ方向に回転を継続する。
【００９９】
なお、キャリア１４０が回転する前の初期状態においては、ロックアーム１９０のリブ係合部１９３がリブ部１４６の外周壁１４６ｂに当接した状態となっている。
【０１００】
図１４、図１６に示すように、ディスク１２の縁部は、内部への送り込みによって、突起４６又は突起４７に衝突する。径が１２ｃｍの大径ディスク１２ｂが挿入される場合、この大径ディスク１２ｂは、ディスクガイド１６によってアウターケース１４内部を水平に進行し、突起４７に衝突する（図１４参照）。一方、径が８ｃｍの小径ディスク１２ａが挿入されると、ディスクガイド１６の一方であって前後方向に傾き（奥側が上方に向かうような傾き）が設けられている部分によって案内され（図１６参照）、わずかに斜め上方に向かって小径ディスク１２ａが案内されていき、突起４６に衝突する。
【０１０１】
かかる突起４６又は突起４７への衝突により、トリガアーム４０が回動する。この回動は、突起４６が回動規制凹部４５に衝突するまで行われる。また、トリガアーム４０の回動により、凸部４８がトリガスライダ５０の係合部５１に衝突して該トリガスライダ５０を先端側、すなわち図１３および図１５で下方に向かって押す。それによって、図９から図１１に示すように、トリガスライダ５０はスライドし、このトリガスライダ５０のスライドに伴って、トリガ突起５３はキャリア凸部１４７を押す。それによって、キャリア１４０が図９〜図１１に示す矢示Ｂ方向に回転し、遊星ギヤ１５０が固定ギヤ１３１の先端部と噛み合う状態となる。
【０１０２】
ここで、遊星ギヤ１５０は、サンギヤ１２０のサンギヤ部１２４と噛み合っているため、サンギヤ部１２４の図８の矢示Ａ方向の回転駆動により、常時回転駆動させられている。そのため、遊星ギヤ１５０が固定ギヤ１３１と噛み合うと、サンギヤ部１２４によって遊星ギヤ１５０は矢示Ａ方向とは逆方向に回転駆動され、一方、遊星ギヤ１５０を支持しているキャリア１４０は、図１０の状態から矢示Ｂ方向（時計回り方向）に進行し、図１１に示す状態となる。
【０１０３】
また、遊星ギヤ１５０の固定ギヤ１３１の噛み合いとほぼ同時に、リブ係合部１９３は、キャリア１４０の回転によって、リブ部１４６の外周壁への当接状態から外れ、固定ギヤ１３１の外周壁１３１ａに当接する状態となる。この状態は図９に示される通りである。それによって、ロックアーム１９０が回動され、ロック凹部１７９からラック規制部１９４が外れて、ラック１７０および光ピックアップ１７６がスライド可能な状態となる。
【０１０４】
キャリア１４０が回転駆動する状態になると、今度はリブ部１４６がトリガ突起５３を後側から押す。それにより、トリガスライダ５０は先端側へのスライドを継続し、第１のスライダ６０が所定位置までスライドする。この変化は図１０から図１１に示される通りである。この場合、図１１に示すように、トリガ突起５３はリブ部１４６の先端に接触した状態が維持される。なお、第１のスライダ６０がスライドすると、図２に示すように、バネ係止ピン７１ａがレバーガイド溝６９に従って摺動する。それにより、ローラレバー９０が回動され、この回動によって図２（ｂ）に示すように、搬送ローラ９６がディスク１２への付勢状態を解除して離れる。
【０１０５】
また、ローラレバー９０がディスク１２から離れると共に、第１のスライダ６０のスライドにより、突出ピン３４が揺動溝７０内においてアウターケース１４の底面側に移動する。それにより、クランパアーム３０が回動して、図２（ｂ）、図６（ａ）および図７（ａ）に示すようにクランパ３５がディスク１２をターンテーブル２０上に圧接する。この圧接状態では、付勢片２７がディスク１２の中心孔１２ａの縁部１２ｂに押されて、ターンテーブル２０の中心側に向かって撓んだ状態となっている。
【０１０６】
このとき、付勢片２７の最上部は、クランパ３５に設けられた囲状の空間部３５ａに入り込み、付勢片２７の付勢力は、すべてディスク１２を上昇させようとする力に転化されている。すなわち、この状態では、付勢片２７はクランパ３５の圧接に抗しながら、ディスク１２の縁部１２ｂに上方に向かう付勢力を及ぼしている。また、このディスク１２の圧接状態では、ディスク１２の裏面と光ピックアップレンズ１７６との距離が、近接したものとなっている。
【０１０７】
固定ギヤ１３１の外周壁１３１ａにリブ係合部１７３部が当接した状態のまま、キャリア１４０が所定だけ回動すると、今度は図１３に示すように、弧状ギヤ部１４２の先端がピックギヤ１６２と噛み合う状態となる。この噛合の後、ピックギヤ１６２は、キャリア１４０の回動に従って回動され、それによって第２のギヤ輪列１６１を介してラック１７０へと駆動力が伝達される。そして、ラック１７０が主軸１７２に沿って移動する。
【０１０８】
なお、ラック１７０は、ディスク１２の外周方向（図１１で斜め上方）に向かって駆動される。そして、内周検出スイッチ１３３によってローディングが終了したことが検出される。すなわち、演奏開始となったことを検出することとなる。
【０１０９】
以上のようにして、ディスク１２の挿入時のローディング動作、およびチャッキング動作がなされる。そして、これらの動作の終了と同時に、モータ１０２によって光ピックアップ１７５がディスク１２の内周側に駆動されると共に、ディスク１２が回転駆動され、ディスク１２に記録されている情報の読み取りによる演奏が開始される。
【０１１０】
また、ディスク１２の排出時、およびディスク１２の再生時において他ソース／電源オフに切り替えられた場合には、上述の機構の全てが、上述のディスク１２の挿入時の場合とは全く逆の動作を行う。以下、それについて説明する。
【０１１１】
まず、不図示のイジェクトボタンの押し込み、または他ソース／電源オフへの切り替えのにより、モータ１０２は作動させられる。他ソース／電源オフへの切り替えの場合は、モータ１０２は、駆動制御機構２１０での制御指令によって作動させられる。しかしながら、イジェクトボタン押し込みの場合は、その押し込みのスイッチオン状態の検知に伴って、直接モータ１０２が作動させられる。なお、他ソース／電源オフへの切り替えのみならず、イジェクトボタン押し込み後におけるモータ１０２の作動を、駆動制御機構２１０を介して行うようにしても良い。
【０１１２】
上述のようにして、モータ１０２が駆動された当初は、このモータ１０２の駆動によってラック１７０がディスク１２の内周方向に向かって駆動される。続いて、弧状ギヤ部１４２とピックギヤ１６２との噛み合いが解かれることにより、ラック１７０の摺動が停止される。このラック１７０の停止と同時に内周検出スイッチ１３３がオン作動し、演奏停止状態が終了してディスク１２の排出のためのイジェクトが始まることを検出する。
【０１１３】
また、モータ１０２の駆動によって、サンギヤ１２０が図１１で反時計回りに回転させられる。それにより、サンギヤ部１２４も同時に反時計回りに回転し、またサンギヤ部１２４および固定ギヤ１３１に噛み合っている遊星ギヤ１５０は、それ自身時計回りに回転しながら、図１１で反時計方向に進行していく。それにより、遊星ギヤ１５０を軸支しているキャリア１４０は、遊星ギヤ１５０の回転進行によって、反時計回りに回転させられる。
【０１１４】
キャリア１４０の反時計回りの回転によって、図１１の状態から、キャリア凸部１４７がトリガ突起５３に衝突し、トリガスライダ５０はキャリア１４０に押されてアウターケース１４の奥側にスライドする。このスライドに伴って、第１のスライダ６０がスライドし、突出ピン３４が揺動溝７０内においてアウターケース１４の上面側に移動する。それにより、クランパアーム３０が回動して、クランパ３５がディスク１２から離れて、ディスク１２の圧接が解かれる。
【０１１５】
クランパ３５によるディスク１２の圧接が解かれると、付勢片２７の付勢状態が解除される。それにより、ディスク１２は、図６（ｂ）、図７（ｂ）に示すように、ターンテーブル２０に存する付勢片２７の付勢状態からの復元力によって上方に持ち上げられる。それによって、ディスク１２と、光ピックアップレンズ１７６との間の距離を、離間させることができる。
【０１１６】
ここで、図７（ａ）、（ｂ）に示すように、クランパ３５でディスク１２をターンテーブル２０に圧接しているときの、ディスク１２と光ピックアップレンズ１７６との間の距離をＬ１、クランパ３５がディスク１２から離れて、ディスク１２の圧接が解かれたときの、ディスク１２と光ピックアップレンズ１７６との間の距離をＬ２とする。すると、ディスク１２が持ち上げられることで、この図７に示されるように、明らかにＬ２＞Ｌ１となっている。
【０１１７】
なお、このときのクランパアーム３０の回動量は、ディスク１２を外部へ搬出する際の回動量よりも小さいものとなっている。すなわち、クランパアーム３０に設けられているクランパ３５は、上述の付勢片２７によってディスク１２がターンテーブル２０から持ち上げられる移動量と、同等またはそれ以下の量だけ、上方に移動させるようにする。
【０１１８】
このようにすると、図７（ｂ）に示すように、ディスク１２の下面側が付勢片２７に持ち上げられた状態となると共に、ディスク１２の上面側がクランパ３５に接触している状態となる。それによって、ディスク１２は、ターンテーブル２０から持ち上げられると共に、付勢片２７とクランパ３５によって、上下両方向から軽く挟持されて、保持される状態となる。
【０１１９】
なお、クランパアーム３０の回動を、上述のような規定された回動量となる位置で停止させるように、モータ１０２は、駆動制御機構２１０によって駆動制御が為されている。この場合、センサ機能でのディスク１２やクランパ３５の上方への移動の排出の検知や、タイマー機能で所定時間の経過によって、モータ１０２の駆動が停止される。また、このようにモータ１０２の駆動が制御された場合には、第１のスライダ６０が、アウターケース１４の奥側（後端側）に向かう中途部分で停止することとなる。
【０１２０】
このような構成のレンズ保護機構１１、およびこのレンズ保護機構１１を用いたディスク再生装置１０によれば、駆動制御機構２１０での制御に基づいて、クランパ３５がターンテーブル２０から離間するように、モータ１０２を駆動させると、ディスク１２のターンテーブル２０に対する圧接が解除される。そして、付勢片２７のクランパ３５による付勢状態も解除され、該ディスク１２が付勢片２７によって上方に持ち上げられる。そのため、かかる付勢片２７でのディスク１２の持ち上げにより、ディスク１２と光ピックアップレンズ１７６との間の距離を離間させることができる。
【０１２１】
すなわち、ディスク再生装置１０が、他ソース／電源オフに切り替えられて、ディスク１２と光ピックアップレンズ１７６の間の距離を、電気制御機構によって一定間隔に維持することができなくなっても、上述のようにクランパ３５をターンテーブル２０の上方に退避させることで、ディスク１２が付勢片２７によってターンテーブル２０から持ち上げられ、ディスク１２と光ピックアップレンズ１７６の間の距離を離すことができる。それにより、ディスク１２と光ピックアップレンズ１７６とが接触するのを防止することができ、ディスク１２や光ピックアップレンズ１７６に傷が付くのを防ぐことができる。また、このように傷が付くのを防止することで、ディスク再生装置１０の長寿命化を図ることができる。
【０１２２】
また、ディスク１２の調芯手段を兼ねる付勢片２７を用いてディスク１２をターンテーブル２０から持ち上げている。このため、ターンテーブル２０上にディスク１２を持ち上げるための複雑な機構を、別途設ける必要がない。それによって、簡易な構成となり、別途ディスク１２の持ち上げのための機構を設ける場合と比較して、コストが増大するのを抑えることができる。
【０１２３】
また、付勢片２７をこの実施の形態のように、ディスクガイド部２４の周方向において、少なくとも３箇所以上配置し、しかも例えば１２０度間隔といった如く、一定の間隔ごとに付勢片２７を配置すると、ディスク１２を安定的に持ち上げることが可能となる。さらに、付勢片２７の先端を逃がす逃がし孔２８がターンテーブル２０上に形成されているので、ディスク１２がターンテーブル２０上に圧接された状態で、該付勢片２７の先端部分を逃がすことが可能となる。それにより、付勢片２７は、十分に撓むことができ、該ディスク１２を持ち上げるのに十分な付勢力を蓄えることができる。
【０１２４】
さらに、他ソース／電源オフに切り替えられて、ディスク１２が付勢片２７によって持ち上げられた場合に、駆動制御機構２１０の制御によって、ディスク１２の上面がクランパ３５と接触する状態で、モータ１０２の駆動が停止される。それによって、ディスク１２がターンテーブル２０から持ち上げられた状態で、付勢片２７とクランパ３５によって上下両方向から軽く挟持される。そのため、ディスク１２の保持がなされる状態となり、該ディスク１２が不安定となって他の部品と接触する、といった不具合を防止することができる。
【０１２５】
なお、駆動制御機構２１０をタイマー方式とした場合には、その構成が簡易なものとなる。また、駆動制御機構２１０をセンサ方式とした場合には、モータ１０２の駆動制御を正確に行うことができる。
【０１２６】
また、従来のように、ディスク再生装置１０が再生状態／再生待機状態で、他ソース／電源オフに切り替えられた場合、光ピックアップ１７５に通電しなくても、ディスク１２と光ピックアップレンズ１７６とが接触しない状態とすることができる。このように、他ソース／電源オフへの切り替え時に、通電しなくても良いので、電力の消費を抑えることができる。また、別途通電のための機構を設ける必要もなくなる。
【０１２７】
また、クランパ３５を持ち上げる途中で、クランパ３５の移動を停止させ、付勢片２７によってディスク１２を持ち上げている。このため、ディスク１２の外周側に光ピックアップレンズ１７６を退避させるタイプの従来のレンズ保護機構と比較して、光ピックアップレンズ１７６やディスク１２の十分な保護を図りながらでも、ディスク再生装置１０の大型化を抑え、ディスク再生装置１０の薄型化、および光ピックアップ１７５の薄型化も可能となる。また、かかる薄型化が可能となることにより、特に車載用のディスク再生装置１０としては、最適な装置構成とすることができる。
【０１２８】
また、本実施の形態のレンズ保護機構１１では、ディスク１２が付勢片２７によって持ち上げられた状態で待機しているので、他ソース／電源オフに切り替えられた状態から、再びディスク１２を再生しようとしても、即座にクランプ３５をターンテーブル２０側に移動させ、ディスク１２を再びターンテーブル２０に圧接することができる。
【０１２９】
以上、本発明の一実施の形態について述べたが、本発明はこれ以外にも種々変形可能となっている。以下、それについて述べる。
【０１３０】
上述の実施の形態では、モータ１０２は、ローラ９５の回転、第１のスライダ６０および第２のスライダ８０のスライド、および光ピックアップ１７５のディスク１２の径方向に対する移動に対して駆動力を与えている。しかしながら、光ピックアップ１７５は、モータ１０２によらずに、別途の駆動源によって駆動されるものであっても良い。この場合は、キャリア１４０に弧状ギヤ部１４２、撓み溝１４４が設けられず、図１７に示すように、省略された状態となる。また、第２のギヤ輪列１６０は、キャリア１４０の回転を非伝達の状態となる。
【０１３１】
かかる図１７に示す構成では、キャリア１４０の回転に係らず、光ピックアップ１７５が移動しない状態にすることができる。そのため、ディスク１２を前回の演奏終了時点から再び演奏させる場合、素早く再演奏させることが可能となる。
【０１３２】
また、上述の実施の形態では、付勢手段は、ターンテーブル２０の径方向外方に沿っている舌片状の付勢片２７が、ディスクガイド２５の周方向に、３つ配置されたものとなっている。しかしながら、付勢手段はこれに限られるものではなく、ディスク１２のクランプ３５での圧接によって良好に撓む（弾性変形する）と共に、該ディスク１２を安定的に持ち上げることができるものであれば、どのような形状、構成および配置であっても良い。例えば、付勢手段として、リング状部材に外周側に向かう複数の付勢片が設けられているものや、リング状のゴム状部材・スポンジ等、または一定間隔ごとに小片のゴム状部材・スポンジ等を配置する構成としても良い。
【０１３３】
さらに、上述の実施の形態では、付勢手段としての付勢片２７は、調芯手段をも兼ね備えるものとなっている。しかしながら、ターンテーブル２０上に、調芯機構とは別途の付勢手段（例えば、板バネ等）を取り付けて、この板バネによってターンテーブル２０からディスク１２を持ち上げるようにしても良い。このようにして、ディスク１２をターンテーブル２０から持ち上げた場合でも、光ピックアップレンズ１７６とディスク１２との間を離間させることができる。
【０１３４】
【発明の効果】
本発明によれば、簡易な構成で、ディスクと光ピックアップのレンズとの接触を防ぐことが可能となる。
【図面の簡単な説明】
【図１】本発明の一実施の形態に係るレンズ保護機構を有するディスク再生装置の要部構成を示す平面図である。
【図２】図１のディスク再生装置において、第１のスライダの構成を示す側面図であり、（ａ）はディスクを挿入する前の状態、（ｂ）はディスクの挿入が完了した状態を示すものである。
【図３】図１のディスク再生装置において、第２のスライダの構成を示す側面図であり、（ａ）はディスクを挿入する前の状態、（ｂ）はディスク挿入が完了した状態を示すものである。
【図４】図１のディスク再生装置において、ターンテーブルの上面形状を示す斜視図である。
【図５】図１のディスク再生装置において、ターンテーブル、光ピックアップとラックの配置を示す平面図である。
【図６】図１のディスク再生装置において、ディスクがクランパアームの姿勢変化により、ターンテーブルに圧接される前後の状態を示す側断面図であり、（ａ）はディスクがクランパによってターンテーブルに圧接されている状態、（ｂ）はクランパによるディスクの圧接が解かれて付勢片によってディスクがターンテーブルから持ち上げられた状態を示すものである。
【図７】図１のディスク再生装置において、ターンテーブルに対するディスクの圧接の前後におけるディスクと光ピックアップとの間の距離を示す側断面図であり、（ａ）はディスクがターンテーブルに圧接されて光ピックアップに近接している状態、（ｂ）はディスクのターンテーブルへの圧接が解除されて光ピックアップから離れた状態を示すものである。
【図８】図１のディスク再生装置において、第１の駆動力伝達経路からローラまでの回転伝達の様子を示す図であり、（ａ）は平面図、（ｂ）は側断面図である。
【図９】図１のディスク再生装置において、搬送機構を構成する第１の駆動力伝達経路および光ピックアップの要部を示す平面図であり、トリガ突起がキャリア凸部を押す前の状態を示すものである。
【図１０】図１のディスク再生装置において、搬送機構を構成する第１の駆動力伝達経路および光ピックアップの要部を示す平面図であり、遊星ギヤが固定ギヤに噛み合い始めると共に、第１のスライダがスライドし始めた状態を示すものである。
【図１１】図１のディスク再生装置において、搬送機構を構成する第１の駆動力伝達経路および光ピックアップの要部を示す平面図であり、キャリアの回転によって第１のスライダがスライドし、ディスク差込口側に移動した状態を示すものである。
【図１２】図１のディスク再生装置において、フローティングシャーシ、サンギヤおよびキャリアの形状を示す分解斜視図である。
【図１３】図１のディスク再生装置において、１２ｃｍのディスクが挿入されたときのトリガアームの回動の様子を示す図である。
【図１４】図１のディスク再生装置において、１２ｃｍのディスクをターンテーブル上にクランプする際の様子を示す側面図である。
【図１５】図１のディスク再生装置において、８ｃｍのディスクが挿入されたときのトリガアームの回動の様子を示す図である。
【図１６】図１のディスク再生装置において、８ｃｍのディスクをターンテーブル上にクランプする際の様子を示す側面図である。
【図１７】本発明の変形例に係り、光ピックアップを、別途の駆動源によって駆動させる構成を示す平面図である。
【符号の説明】
１０…ディスク再生装置
１１…レンズ保護機構
１２…ディスク
１２ａ…中心孔
１２ｂ…縁部
１４…アウターケース（ケース体）
１５…フローティングシャーシ
１６…ディスクガイド（搬送機構の一部）
２０…ターンテーブル
２１…モータ
２３…ディスク載置部
２４…ディスクガイド部（調芯手段の一部）
２５…テーパ面（調芯手段の一部）
２６…切り欠き部
２７…付勢片（付勢手段、調芯手段の一部）
２８…逃がし孔
３０…クランパアーム（クランプ機構の一部）
３５…クランパ（クランプ機構の一部）
４０…トリガアーム（クランプ機構の一部）
５０…トリガスライダ（クランプ機構の一部）
６０…第１のスライダ（クランプ機構の一部）
８０…第２のスライダ
９０…ローラレバー
９１…回動軸
１０２…モータ（駆動源、クランプ機構の一部）
１２０…サンギヤ（クランプ機構の一部）
１４０…キャリア（クランプ機構の一部）
１５０…遊星ギヤ
１７０…ラック
１７５…光ピックアップ
１７６…光ピックアップレンズ
２１０…制御部（駆動制御機構）
【図１】
2004158139.tif 000003
【図２】
2004158139.tif 000004
【図３】
2004158139.tif 000005
【図４】
2004158139.tif 000006
【図５】
2004158139.tif 000007
【図６】
2004158139.tif 000008
【図７】
2004158139.tif 000009
【図８】
2004158139.tif 000010
【図９】
2004158139.tif 000011
【図１０】
2004158139.tif 000012
【図１１】
2004158139.tif 000013
【図１２】
2004158139.tif 000014
【図１３】
2004158139.tif 000015
【図１４】
2004158139.tif 000016
【図１５】
2004158139.tif 000017
【図１６】
2004158139.tif 000018
【図１７】
2004158139.tif 000019